(57)【要約】【課題】  折り畳むことにより携帯性（持ち運び）に富み、使用時には、床面に広げて利用者が寝ころぶことができる敷きマットに関し、特に、当該折り畳みを可能とするヒンジの位置が、頭部と胴部の間や胴部と脚部の間にある敷きマットに関する。【解決手段】  長さが４０ｃｍ以上５０ｃｍ以下に形成された第一の領域２と、第一の領域２と第一のヒンジ６により連結され、長さが６０ｃｍ以上８０ｃｍ以下に形成された第二の領域３と、第二の領域３と第二のヒンジ７により連結され、長さが７０ｃｍ以上９０ｃｍ以下に形成された第三の領域４及び５と、から構成された所定の厚みの平面視扁平矩形状の敷きマット。【選択図】  図１
0003134745.tif 000002
【実用新案登録請求の範囲】
【請求項１】
長手方向において先端からの長さが４０ｃｍ以上５０ｃｍ以下に形成された第一の領域と、
前記第一の領域と第一のヒンジにより連結され、長手方向の長さが６０ｃｍ以上８０ｃｍ以下に形成された第二の領域と、
前記第二の領域と第二のヒンジにより連結され、長手方向の長さが７０ｃｍ以上９０ｃｍ以下に形成された第三の領域と、
から構成され、前記第一のヒンジ及び前記第二のヒンジにより折り畳み可能となる所定の厚みの平面視扁平矩形状の敷きマットであって、
前記第一の領域には、頭部を載置し、前記第二の領域には、胴部を載置し、前記第三の領域には、脚部を載置することにより、使用者が横になって使用する
ことを特徴とする敷きマット。
【請求項２】
前記第三の領域は、更に、前記敷きマットの長手方向において後端からの長さが１０ｃｍ以上２０ｃｍ以下の第四の領域と、残りの部分である第五の領域とから構成され、
これら領域は第三のヒンジにより連結され、
第四の領域を第三のヒンジを介し第五の領域に重ね合わせることにより、
前記第五の領域に積層された前記第四の領域には、脚部若しくは頭部を載置し、前記第二の領域には、胴部を載置し、前記第一の領域には、頭部若しくは脚部を載置することにより、使用者が横になって使用する
ことを特徴とする請求項１に記載の敷きマット。
【考案の詳細な説明】
【技術分野】
【０００１】
本考案は、折り畳むことにより携帯性（持ち運び）に富み、使用時には、床面に広げて利用者が寝ころぶことができる敷きマットに関し、特に、当該折り畳みを可能とするヒンジの位置が、頭部と胴部の間や胴部と脚部の間にある敷きマットに関する。
【背景技術】
【０００２】
従来から、ヒンジを備えた折り畳み可能な敷きマットは利用されていた。
【考案の開示】
【考案が解決しようとする課題】
【０００３】
しかしながら、上述した従来の敷きマットは、長手方向に例えば３等分された３つの領域から構成されていたりするものであった。
【０００４】
すなわち、ヒンジの位置は、単に長手方向全長を等分することにより決められていたため、利用者が横になった場合、ヒンジ部に頭部が一致してしまったり、ヒンジ部に臀部が一致してしまったりしていた。
【０００５】
従って、ヒンジ部に頭部が一致した場合には、その凸凹感から利用者に不快を強いることになるという問題があった。
【０００６】
また、一般に人間が横になった場合、その体重の約４４％は臀部に割り当てられることが知られている。従って、ヒンジ部に臀部が一致した場合には、安定した重量バランスで横になることができないという問題がった。
【０００７】
本考案は、上述のような課題を解決するためになされたものであり、一般的な利用者の体型に基づき、複数の領域の長手方向の長さバランスを工夫し、すなわち、ヒンジの位置の工夫することにより、折り畳み可能でありつつ、利用者が横になった場合には、快適且つ安定した重量バランスでリラックスすることができる敷きマットを提供するものである。
【課題を解決するための手段】
【０００８】
請求項１に記載の考案に係る敷きマットは、長手方向において先端からの長さが４０ｃｍ以上５０ｃｍ以下に形成された第一の領域と、前記第一の領域と第一のヒンジにより連結され、長手方向の長さが６０ｃｍ以上８０ｃｍ以下に形成された第二の領域と、前記第二の領域と第二のヒンジにより連結され、長手方向の長さが７０ｃｍ以上９０ｃｍ以下に形成された第三の領域と、から構成され、前記第一のヒンジ及び前記第二のヒンジにより折り畳み可能となる所定の厚みの平面視扁平矩形状の敷きマットであって、前記第一の領域には、頭部を載置し、前記第二の領域には、胴部を載置し、前記第三の領域には、脚部を載置することにより、使用者が横になって使用することを特徴とする。
【０００９】
請求項２に記載の考案に係る敷きマットは、請求項１に記載の敷きマットにおいて、前記第三の領域は、更に、前記敷きマットの長手方向において後端からの長さが１０ｃｍ以上２０ｃｍ以下の第四の領域と、残りの部分である第五の領域とから構成され、これら領域は第三のヒンジにより連結され、第四の領域を第三のヒンジを介し第五の領域に重ね合わせることにより、前記第五の領域に積層された前記第四の領域には、脚部若しくは頭部を載置し、前記第二の領域には、胴部を載置し、前記第一の領域には、頭部若しくは脚部を載置することにより、使用者が横になって使用することを特徴とする。
【考案の効果】
【００１０】
請求項１に記載の考案においては、一般的な利用者の体型に基づき、第一の領域〜第三の領域の長手方向の長さバランスを工夫し、すなわち、第一及び第二のヒンジの位置の工夫することにより、折り畳み可能でありつつ、利用者が横になった場合には、頭部、胴部、脚部を確実に第一の領域〜第三の領域にて支持することが可能であるため、利用者は快適且つ安定した重量バランスでリラックスすることができる。
【００１１】
請求項２に記載の考案においては、第四の領域を第五の領域に積層させることにより、第四の領域を突起部として構成することができ、その結果、当該第四の領域を脚枕として使用し、脚部を載置し、第二の領域には、胴部を載置し、第一の領域には、頭部を載置する、或いは、当該第四の領域を枕として使用し、頭部を載置し、第二の領域には、胴部を載置し、第一の領域には、脚部を載置することにより、利用者は快適且つ安定した重量バランスでリラックスすることができる。
【考案を実施するための最良の形態】
【００１２】
実施の形態１．
以下、本実施の形態１における敷きマットについて説明する。
【００１３】
図１（ａ）は、本考案を実施するための実施の形態１における敷きマットを広げた状態の平面図である。図１（ｂ）は、図１（ａ）に示す敷きマットのＩ−Ｉ断面図であり、利用者が横になった状態を示している。
【００１４】
図１（ａ）及び（ｂ）において、１は敷きマットである。敷きマット１は、長手方向（図中矢印Ａ方向）において、長さが４０ｃｍ以上５０ｃｍ以下に設定された第一の領域２、第一の領域２と第一のヒンジ６により連結され、長さが６０ｃｍ以上８０ｃｍ以下の第二の領域３、第二の領域３と第二のヒンジ７により連結され、長さが５０ｃｍ以上９０ｃｍ以下の第五の領域５、第五の領域５と第三のヒンジ８により連結され、長さが１０ｃｍ以上２０ｃｍ以下の第四の領域４から構成されている。
【００１５】
なお、本実施形態では、一般の成人が敷きマット１の上に横になる際の最適なサイズとして、第一の領域の長さを４５ｃｍ、第二の領域の長さを７１ｃｍ、第四の領域の長さを１４ｃｍ、第五の領域の長さを７０ｃｍに設定している。もっとも、このような寸法は適宜設計変更可能であることは言うまでもない。
【００１６】
また、本実施の形態では、第一の領域２、第二の領域３、第四の領域４、第五の領域５の４つの領域から構成しているが、これに限られるものではない。後述する折り畳み時のコンパクト化を追求すべく、更に、細かく領域を分割しても良い。或いは、後述するような第四の領域を脚部若しくは頭部の枕として構成することを望まない場合には、第三のヒンジを無くし、第四の領域４と第五の領域５を一体としてもよい（この場合、一体とした領域を第三の領域という）。
【００１７】
次に敷きマット１の内部構造について説明する。
【００１８】
敷きマット１の内部には、３層構成の弾性を有する基材マットが備えられ、これをカバー９により被覆している。すなわち、カバー９には各領域にそれぞれ図示しないファスナーが備えられ、当該ファスナーから基材マットを挿入している。なお、本実施形態では、カバー９の各領域に独立したファスナーを備えたが、これに限らず、各領域に連通させたファスナーを備えても良い。
【００１９】
カバー９は、図に示すように、三箇所にて、表裏を共に縫い合わせ、第一のヒンジ６〜第三のヒンジ８を形成している。
【００２０】
カバー９の内部に収納された基材マットは、ウレタンフォーム、ゴム系スポンジ、或いはポリエチレン系スポンジなど比較的低弾発な弾性部材により形成させた第一の層１０、第一の層１０の上面に積層された状態に、ポリエステル繊維、ポリウレタン繊維、ポリエチレン繊維、ポリプロピレン繊維、或いは塩化ビニル繊維などの比較的高弾発な合成繊維により形成された第二の層１１、第二の層１１の上面に積層された状態に、フェルト状の不織布で形成された第三の層１２からなる。なお、本実施の形態では、基材マットは３層構成としたが、これに限らず、例えば、第三の層１２を無くした２層構成でも良い。
【００２１】
本実施の形態では、上述した各種材料から、利用者に快適な弾力感を与えるべく、最適な材料選定として、第一の層１０にウレタンフォーム、第二の層１１に直径が０．３ｍｍ〜１．５ｍｍのポリエステル繊維を製造する工程で、不規則に絡み合わせて空孔率の高いマット状にしたもの（商品名：ブレスエアー、東洋紡績株式会社製）、第三の層１２に柔軟性、通気性及び伸縮性を有するフェルト状の不織布マットを採用している。
【００２２】
また、本実施の形態では、第一の層１０の厚みを５ｍｍ以上５０ｍｍ以下、より好ましくは、１０ｍｍ以上２０ｍｍ以下、第二の層１１の厚みを１０ｍｍ以上３０ｍｍ以下、第三の層１２の厚みを１０ｍｍ以下、より好ましくは、５ｍｍ以下に設定している。
【００２３】
なお、上述した材料や厚みは、利用者の好みに合わせて、適宜設計変更可能である。
【００２４】
次に、敷きマット１の使用方法について説明する。
【００２５】
敷きマット１は、収納保管時には、第一のヒンジ６〜第三のヒンジ８の部分を軸として、折り畳み、コンパクトにすることが可能である。したがって、利用者にとっては、持ち運びの利便性が豊かとなる。
【００２６】
利用者は、使用時、折り畳まれた敷きマット１を所望の床面に広げて、図１（ｂ）に示すように、当該敷きマット１の上に寝ころぶことができる。
【００２７】
この時、上述の通り、各領域の長手方向の長さは、全長を単純に等分するのではなく、一般的な成人の体型（身長）に併せて、非等分に分割されているため、頭部を第一の領域２で、胴部を第二の領域で、脚部を第四の領域４及び第五の領域５からなる第三の領域で確実に支持することができる。
【００２８】
すなわち、頭部や臀部がヒンジの位置に一致することを回避できるため、利用者は快適且つ安定した重量バランスで横になりリラックスすることができる。
【００２９】
実施の形態２．
以下、上述した本実施の形態１における敷きマット１を用いた他の使用方法について説明する。
【００３０】
図２（ａ）は、本考案を実施するための実施の形態２における敷きマットを広げた状態の平面図である。図２（ｂ）は、図２（ａ）に示す敷きマットのII−II断面図である。
【００３１】
図２（ａ）に示す敷きマット１は、図１（ａ）に示す状態の敷きマット１において、第四の領域４を第三のヒンジ８を軸中心に折り曲げて、第五の領域５の裏面側に重ね合わせた状態である。
【００３２】
これにより、図２（ｂ）に示す通り、第五の領域５の裏面側に重なった第四の領域４を枕として使用することができる。なお、このような枕の高さは、利用者の好みに応じて、例えば、第四の領域４と第五の領域５の間にタオルなどを介在させることにより、調整することができる。
【００３３】
この場合、第四の領域４により第五の領域５の端部が持ち上がり、緩やかな傾斜を構成する。したがって、このような状態の敷きマット１において、第一の領域２に頭部を、第二の領域３に胴部を、第四の領域４により持ち上がった第五の領域５の端部に脚部（かかと部）を載置して横になることにより、利用者は快適且つ安定した重量バランスで横になりリラックスすることができる。
【００３４】
実施の形態３．
以下、上述した本実施の形態１における敷きマット１を用いた他の使用方法について説明する。
【００３５】
図３（ａ）は、本考案を実施するための実施の形態３における敷きマットを広げた状態の平面図である。図３（ｂ）は、図３（ａ）に示す敷きマットのIII−III断面図である。
【００３６】
図３（ａ）及び（ｂ）に示す通り、第四の領域４を第五の領域５の表面側に重ねて、すなわち、図２（ａ）及び（ｂ）に示す状態と比して、第四の領域４の折り曲げ方向を表裏（上下）逆にして使用することもできる。
【００３７】
この場合にも、利用者は、第四の領域４を枕として使用し、頭部を載置し、第二の領域３には、胴部を載置し、第一の領域２には、脚部を載置することにより、利用者は快適且つ安定した重量バランスで横になりリラックスすることができる。
【００３８】
以上に説明した通り、本考案に係る敷きマットは、空孔率の高い第二の層１１を一部に含む基材マットを収納したカバー９により構成され、且つ、複数のヒンジ８〜９を軸に互いに回転可能な複数の領域２〜５に分割されて構成されているため、非常に軽量な上に、折り畳むことにより、コンパクト化して携帯自在にすることができる。
【００３９】
また、高弾発な第二の層１１により、利用者は心地よい弾力を感じながら、寝ころび、リラックスすることができる。
【００４０】
また、確実に支持したい頭部や臀部にヒンジが重ならないようにできるばかりではなく、第一のヒンジ６に肩や首を沈み込ませて包み込むことにより、姿勢良く安定して寝ころぶことができる。
【図面の簡単な説明】
【００４１】
【図１】（ａ）は、本考案を実施するための実施の形態１における敷きマットを広げた状態の平面図である。（ｂ）は、（ａ）に示す敷きマットのＩ−Ｉ断面図である。
【図２】（ａ）は、本考案を実施するための実施の形態２における敷きマットを広げた状態の平面図である。（ｂ）は、（ａ）に示す敷きマットのII−II断面図である。
【図３】（ａ）は、本考案を実施するための実施の形態３における敷きマットを広げた状態の平面図である。（ｂ）は、（ａ）に示す敷きマットのIII−III断面図である。
【符号の説明】
【００４２】
１  敷きマット
２  第一の領域
３  第二の領域
４，５  第三の領域
４  第四の領域
５  第五の領域
６  第一のヒンジ
７  第二のヒンジ
８  第三のヒンジ
【図１】
0003134745.tif 000003
【図２】
0003134745.tif 000004
【図３】
0003134745.tif 000005